(57)【要約】【課題】  液体をこぼすことなくプライミングを行うことができ、こぼれた薬液などが付着して菌が繁殖するおそれの少ない雄ルアーコネクターを提供すること。【解決手段】  雄ルアーコネクター１００は、第二開口１１３ａとエアー抜き開口１１３ｂが形成された本体管１１０と、本体管１１０の外周に装着される雄ルアー部材１２０を備える。雄ルアー部材１２０は第二開口１１３ａを閉塞する。また、エアー抜き用開口１１３ｂには、気体透過性の優れたフィルター１５１が取り付けられる。プライミング時に流路１１５内のエアーはフィルター１５１を通り、エアー抜き用開口１１３ｂから外部へ放出される。このときフィルター１５１は液体を透さないので、外部に液体がこぼれることはない。また、雌ルアーコネクター１０との結合時には、雄ルアー部材１２０が移動して第二開口１１３ａが開放されて液体が放出可能とされる。【選択図】  図６
2007195933.tif 000002
【特許請求の範囲】
【請求項１】
一方の管体と他方の管体との接続に用いられ、前記一方の管体に連結されるとともに、前記他方の管体に連結された雌ルアーコネクターに対して着脱可能に接続される雄ルアーコネクターにおいて、
第一開口および第二開口を備え、前記第一開口にて前記一方の管体に連通する流路が内部に形成された本体管と、
円筒状に形成されるとともに前記本体管の外周に装着され、前記雌ルアーコネクターに形成されたテーパー状の内壁に液密的に当接可能なテーパー状の外壁を有する雄ルアー部材と、
前記雄ルアー部材の前記外壁が前記雌ルアーコネクターの前記内壁と液密的に当接していないときに前記第二開口を閉塞し、前記雄ルアー部材の前記外壁が前記雌ルアーコネクターの前記内壁と液密的に当接しているときに前記第二開口を開放して前記流路と前記雌ルアーコネクターとを連通する弁手段と、
を備えることを特徴とする雄ルアーコネクター。
【請求項２】
請求項１に記載の雄ルアーコネクターにおいて、
前記本体管には、前記流路を外部に連通させる気体抜き用開口が形成されており、前記気体抜き用開口には、気体を透過させるとともに液体を透過させないフィルターが取り付けられていることを特徴とする雄ルアーコネクター。
【請求項３】
請求項１または２に記載の雄ルアーコネクターにおいて、
前記弁手段は、前記雄ルアー部材に形成されていることを特徴とする雄ルアーコネクター。
【請求項４】
請求項３に記載の雄ルアーコネクターにおいて、
前記第二開口は、前記本体管の外周面に形成され、
前記雄ルアー部材は、前記第二開口を閉塞および開放できるように前記本体管の外周を移動可能とされることを特徴とする雄ルアーコネクター。
【請求項５】
請求項４に記載の雄ルアーコネクターにおいて、
前記雄ルアー部材の前記外壁が雌ルアーコネクターの前記内壁に当接した状態で雌ルアーコネクターが移動することによって、前記雄ルアー部材が前記第二開口を開放する方向に移動することを特徴とする雄ルアーコネクター。
【請求項６】
請求項３〜５のいずれか１項に記載の雄ルアーコネクターにおいて、
前記雄ルアー部材が前記第二開口を閉塞するように、前記雄ルアー部材を付勢する付勢手段をさらに備えることを特徴とする雄ルアーコネクター。
【請求項７】
請求項６に記載の雄ルアーコネクターにおいて、
前記付勢手段は、前記本体管の外周を覆うように配設された蛇腹部材であることを特徴とする雄ルアーコネクター。
【請求項８】
請求項１〜７のいずれか１項に記載の雄ルアーコネクターにおいて、
前記雄ルアー部材の外周に回転可能に取り付けられ、内周側にネジ部が形成されたロック部材を備え、前記ロック部材と前記雌ルアーコネクターとが螺合接続されることによって、前記雌ルアーコネクターが結合されることを特徴とする雄ルアーコネクター。
【請求項９】
請求項２〜８のいずれか１項に記載の雄ルアーコネクターにおいて、
前記気体抜き用開口は、前記本体管の端面に形成されていることを特徴とする雄ルアーコネクター。
【請求項１０】
請求項２〜８のいずれか１項に記載の雄ルアーコネクターにおいて、
前記気体抜き用開口は、前記本体管の外周面に形成されていることを特徴とする雄ルアーコネクター。
【請求項１１】
請求項１０に記載の雄ルアーコネクターにおいて、
前記第二開口が、前記気体抜き用開口を共用することを特徴とする雄ルアーコネクター。
【請求項１２】
請求項１〜１１のいずれか１項に記載の雄ルアーコネクターにおいて、
前記雄ルアー部材を弾性材料により成形したことを特徴とする雄ルアーコネクター。
【請求項１３】
請求項２〜１２のいずれか１項に記載の雄ルアーコネクターにおいて、前記フィルターは、前記雄ルアー部材に一体的に形成されていることを特徴とする雄ルアーコネクター。
【請求項１４】
請求項１３に記載の雄ルアーコネクターにおいて、前記雄ルアー部材は多孔性材料により成形したことを特徴とする雄ルアーコネクター。
【請求項１５】
請求項４〜１４のいずれか１項に記載の雄ルアーコネクターにおいて、
前記本体管は、前記第一開口を有する接続口部と、前記第二開口を有するとともに外周に前記雄ルアー部材が装着された導管部とを備え、
前記接続口部と前記導管部とは分離して形成され、
前記導管部は、前記雄ルアー部材に対して前記第二開口を閉塞および開放するように移動可能に構成されていることを特徴とする雄ルアーコネクター。
【請求項１６】
請求項４〜１５のいずれか１項に記載の雄ルアーコネクターにおいて、
前記本体管内の流路と前記一方の管体内の流路とを連通するように前記本体管と前記一方の管体との間に配設され、軸方向に伸縮可能な伸縮部材を有することを特徴とする雄ルアーコネクター。
【請求項１７】
請求項１６に記載の雄ルアーコネクターにおいて、
前記伸縮部材は、前記本体管に対する前記雄ルアー部材の移動に連動して伸縮することを特徴とする雄ルアーコネクター。
【発明の詳細な説明】
【技術分野】
【０００１】
本発明は、雌ルアーコネクターとともに管体の途中に取り付けられ、雌ルアーコネクターに対して着脱自在に接続される雄ルアーコネクターに関する。
【背景技術】
【０００２】
医療現場において、輸液、輸血、人工透析、あるいは採血回路などを形成するために、各種医療用チューブを接続するためのコネクターが使用される。このとき使用されるコネクターとして代表的なものに、ほぼ共通の規格を持つテーパー形状を有するルアーコネクターがある。
【０００３】
ルアーコネクターは、一般的に、雌ルアーコネクターと雄ルアーコネクターに分かれて形成されており、雄ルアーコネクターには一方の医療用チューブが、雌ルアーコネクターには他方の医療用チューブが取り付けられる。そして、雄ルアーコネクターと雌ルアーコネクターとを結合させることによって、一方の医療用チューブと他方の医療用チューブとを連通させる。このとき、雌ルアーコネクターの雌ルアー部のテーパー状の内壁と、雄ルアーコネクターの雄ルアー部材のテーパー状の外壁とが液密的に当接する。この当接によって、医療用チューブを接続する際の液密性が確保される。
【０００４】
雌ルアーコネクターには、その開口部分に常閉型の弁機構が搭載されているものもあり、雄ルアーコネクターと結合していない状態において、この弁機構が閉じている。したがって、雄ルアーコネクターと結合していない状態で医療用チューブ内の液体が雌ルアーコネクターから漏れ出すことはない。一方、雌ルアーコネクターが雄ルアーコネクターと結合した際には、上記弁機構が開き、雄ルアーコネクターと連通する。この状態で雄ルアーコネクターに接続された一方の医療用チューブから液体が雄ルアーコネクターに送られると、この液体は雄ルアーコネクターから雌ルアーコネクターに流れ、さらに雌ルアーコネクターからこの雌ルアーコネクターに接続された他方の医療用チューブに流れる。こうして、雄ルアーコネクターに接続された一方の医療用チューブと雌ルアーコネクターに接続された他方の医療用チューブとが連通される。
【０００５】
このようなルアーコネクターとして、例えば、特許文献１には、雌ルアーコネクターの開口部分に弾性シリコーン封止体を取り付けるとともに、このシリコーン封止体中に鋭利な先端を持つスパイク部が配置されているものが記載されている。スパイク部は、内部に流路が形成されるとともに先端近傍に開口を有し、さらに基端部分には前記流路に連通する医療用チューブが接続される。そして、雄ルアーコネクターの雄ルアー部材が雌ルアーコネクターの先端開口を押圧すると、弾性シリコーン封止体が開口して、雄ルアーと接続されるものである。
【特許文献１】特表平７−５０５０６４号公報
【発明の開示】
【０００６】
上述のように、雌ルアーコネクターには、常閉型の弁機構が搭載されたものが知られているが、雄ルアーコネクターにはこのような弁機構は搭載されていない。これは、雄ルアーコネクターを雌ルアーコネクターに接続する前に、雄ルアーコネクター内の流路を流通すべき液体で充填させる事前処理（プライミング）が必要であり、もし雄ルアーコネクターの先端に弁機構が取り付けられていると、このプライミングができなくなるからである。
【０００７】
上記のような事情から、雄ルアーコネクターは常時開放されている。したがって、雄ルアーコネクターの先端開口に菌が繁殖するおそれがあった。また、実際のプライミングにおいては、雄ルアーコネクターに完全に薬液を充填させるために、雄ルアーコネクターの先端開口から薬液がこぼれるまで充填し、こぼれた段階で充填を停止させるようにしていた。このため、こぼれる分の薬液が無駄に消費されていた。また、プライミングにおいて雄ルアーコネクターから薬液がこぼれたところに菌が繁殖するおそれがあった。
【０００８】
本発明はこのような事情に鑑みなされたのもので、外部にこぼれた薬液などが付着して菌が繁殖するおそれの少ない雄ルアーコネクター、または、プライミングに使用する液体を無駄に消費することなくプライミングが実行でき、且つ、付着した薬液によって菌が繁殖するおそれの少ない雄ルアーコネクターを提供することを、その目的とする。
【０００９】
前述した目的を達成するため、本発明に係る雄ルアーコネクターの特徴は、一方の管体と他方の管体との接続に用いられ、前記一方の管体に連結されるとともに、前記他方の管体に連結された雌ルアーコネクターに対して着脱可能に接続される雄ルアーコネクターにおいて、この雄ルアーコネクターを、第一開口および第二開口を備え、前記第一開口にて前記一方の管体に連通する流路が内部に形成された本体管と、円筒状に形成されるとともに前記本体管の外周に装着され、前記雌ルアーコネクターに形成されたテーパー状の内壁に液密的に当接可能なテーパー状の外壁を有する雄ルアー部材と、前記雄ルアー部材の前記外壁が前記雌ルアーコネクターの前記内壁と液密的に当接していないときに前記第二開口を閉塞し、前記雄ルアー部材の前記外壁が前記雌ルアーコネクターの前記内壁と液密的に当接しているときに前記第二開口を開放して前記流路と前記雌ルアーコネクターとを連通する弁手段とを備えるものとしたことである。
【００１０】
上記した本発明によれば、雄ルアーコネクターは、雄ルアー部材と、本体管と、弁手段とを備える。また、本体管は内部に流路が形成されており、流路の一端につながる第一開口と、他方につながる第二開口を有している。本体管の外周には、テーパー状の外壁を有する雄ルアー部材が装着される。雄ルアー部材のテーパー状の外壁（テーパー状外壁）に形成されたテーパー形状は、雌ルアーコネクターに形成されるテーパー状の内壁（テーパー状内壁）のテーパー形状に対応しており、そのテーパー角度および径がほぼ同一となる部分を有する。したがって、雄ルアー部材は、そのテーパー状外壁で、雌ルアーコネクターのテーパー状内壁に液密的に当接可能とされる。
【００１１】
そして、弁手段は、雄ルアー部材のテーパー状外壁が雌ルアーコネクターのテーパー状内壁に当接していないときは、第二開口を閉塞している。したがって、雄ルアーコネクターが雌ルアーコネクターに結合されていない単独の状態では、第二開口は弁手段によって閉塞されているため、この第二開口から流路内の液体がこぼれることはない。よって、外部に薬液などがこぼれたりして雄ルアーコネクターの外表面に付着し、付着部分から菌が繁殖するようなことを、防止できる。
【００１２】
さらに、弁手段は、雄ルアー部材のテーパー状外壁が雌ルアーコネクターのテーパー状内壁に液密的に当接しているときは、第二開口部を開放して、本体管に形成された流路と雌ルアーコネクターとを連通する。このため、雄ルアーコネクターに接続された一方の管体と雌ルアーコネクターに接続された他方の管体とが接続され、一方の管体と他方の管体との間で流体の流通が成される。このように、本発明の雄ルアーコネクターは、雌ルアーコネクターと結合していない単独のときは、外部に薬液などがこぼれない仕様のため、薬液が付着して菌が繁殖することを極力抑えることができ、かつ、雌ルアーコネクターと結合されたときは、流路が開通されてコネクターとしての機能を適格に果たすものである。
【００１３】
この場合、前記本体管には、前記流路を外部に連通させる気体抜き用開口が形成されており、前記気体抜き用開口には、気体を透過させるとともに液体を透過させないフィルターが取り付けられているとよい。
【００１４】
このような構成とすることにより、プライミングによって、気体抜き用開口から本体管内の流路空間に存在するエアーなどの気体を外部に放出させることができる。このとき、気体抜き用開口には、気体透過性であり且つ液体非透過性のフィルターが取り付けられているため、プライミング中に気体抜き用開口を通じて本体管内の液体が外部に漏れ出すことはない。なお、プライミングは、雄ルアーコネクターが雌ルアーコネクターと結合していないときに行われるため、第二開口は弁手段によって閉塞されている。したがって、第二開口から液体が漏れることはない。よって、液体がこぼれることがなく、液体を無駄に消費することなくプライミングを実行することができる。さらに、第二開口および気体抜き用開口から液体がこぼれることもないので、こぼれた液体で菌の繁殖が起こることもない。
【００１５】
また、本発明において、弁手段を雄ルアー部材に形成した構成とすることもできる。あるいは、雄ルアー部材に弁手段としての機能を持たせるように構成することもできる。すなわち、前記雄ルアー部材は、前記雄ルアー部材の外壁が前記雌ルアーコネクターの前記内壁と液密的に当接していないときに前記第二開口を閉塞し、前記雄ルアー部材の前記外壁が前記雌ルアーコネクターの前記内壁と液密的に当接しているときに前記第二開口を開放して前記流路と前記雌ルアーコネクターとを連通するものであってもよい。このように構成すれば、本発明の作用効果を奏する雄ルアーコネクターを構成する部品として、本体管と弁機能付の雄ルアー部材のみの構成で足り、別途弁手段を設けなくてもよい。したがって、低コストにて雄ルアーコネクターを製造することができる。この場合、前記第二開口は前記本体管の外周面に形成され、前記雄ルアー部材は、前記第二開口を閉塞および開放できるように前記本体管の外周を移動可能とされるものであるとよい。雄ルアー部材は本体管の外周に装着されているので、弁手段で閉塞すべき第二開口を本体管の外周面に形成し、且つ雄ルアー部材をこの第二開口を閉塞および開放できるように移動可能な構成とすることによって、雄ルアー部材の構造を特に変更することなく雄ルアー部材に弁手段としての機能を持たせることができ、より便宜である。
【００１６】
さらにこのとき、前記雄ルアー部材の前記外壁が前記雌ルアーコネクターの前記内壁に当接した状態で前記雌ルアーコネクターが移動することによって、前記雄ルアー部材が前記第二開口を開放する方向に移動するように構成するとよい。このように構成すれば、雄ルアーコネクターのテーパー状外壁と雌ルアーコネクターのテーパー状内壁との当接状態を維持させるように、雌ルアーコネクターを雄ルアーコネクターに近づける方向に移動させるのみで、上記当接が維持されるとともに、雄ルアー部材も移動して第二開口が開放される。このため、別途雄ルアー部材を移動させて第二開口を開放させるための構成を要しない。
【００１７】
この場合、前記雄ルアー部材が前記第二開口を閉塞するように、前記雄ルアー部材を付勢する付勢手段をさらに備えるものであるとよい。このように構成すれば、雄ルアーコネクターが雌ルアーコネクターに結合されていないときに、上記付勢手段の付勢力によって雄ルアー部材が第二開口を閉塞する状態が維持される。このため、プライミング時などに確実に第二開口から薬液などがこぼれることを防止できる。
【００１８】
前記付勢手段は、前記本体管の外周を覆うように配設された蛇腹部材であると、よりよい。付勢手段を蛇腹状の部材で構成することにより、この蛇腹状の部材が付勢力に抗した力を受けて変形しても、場所を取ることなく折り畳まれるため、付勢手段の取り付けスペースに苦慮することなく取り付けることが可能となる。また、折り畳まれるときの折れ目が常に同じ部分であり、折りたたみ癖がついているので、破損しにくい。このため、付勢手段の信頼性を向上させることができる。また、バネ部品を用いずに付勢手段を構成することができる。
【００１９】
また、本発明の雄ルアーコネクターは、前記雄ルアー部材の外周に回転可能に取り付けられ、内周側にネジ部が形成されたロック部材を備えるものとし、前記ロック部材と雌ルアーコネクターとを螺合接続することによって、前記雌ルアーコネクターが雄ルアーコネクターに結合されるようにするとよい。ルアーコネクターは、通常雄ルアーコネクターと雌ルアーコネクターとが着脱可能に結合されるため、何かの拍子にこの結合が解かれてしまうおそれがある。この点につき、上記構成によれば、雌ルアーコネクターがロック部材で雄ルアーコネクターに螺合接続されているので、確実に雌ルアーコネクターと雄ルアーコネクターとを結合させておくことができる。
【００２０】
また、ロック部材を回転させると、雌ルアーコネクターが雄ルアーコネクターに対して螺合接続されるとともに、雄ルアーコネクターに近づく方向に移動する。ここで、雄ルアー部材のテーパー状外壁と雌ルアーコネクターのテーパー状内壁とが当接するように雌ルアーコネクターが移動する方向と、雄ルアー部材が第二開口を開放させるように移動する方向とを、このロック部材の回転による雌ルアーコネクターの移動方向と同じ方向とすることにより、ロックリングを回転させるのみで、雄ルアーコネクターと雌ルアーコネクターとの結合が成されるとともに、この結合（テーパー状外壁とテーパー状内壁との係合）が維持された状態で、雄ルアー部材が移動して第二開口の開放を行うことができる。つまり、ロック部材の回転動作のみで、雄ルアーコネクターと雌ルアーコネクターの結合、および、第二開口の開放を行うことができる。
【００２１】
また、前記気体抜き用開口は、前記本体管の端面に形成されているとよい。気体抜き用開口を本体管の端面に形成することにより、本体管の全領域に滞留する気体を端面に集め、ここから外部に除去することができる。このため、プライミング操作によってほとんどの気体を除去することができる。
【００２２】
また、前記気体抜き用開口は、前記本体管の外周面に形成されているものとしてもよい。気体抜き用開口が本体管の外周面に形成されていれば、この気体抜き用開口に取り付けられるフィルターも、本体管の外周面に取り付けられる。このため、フィルターを用いて気体（エアー）抜きを行う場合、フィルターには径方向に均等に気体の圧力が作用するため、十分に圧力を分散でき、局所的に圧力がかかる部分はない。このため、フィルターの信頼性を向上させることができる。
【００２３】
また、前記第二開口で前記気体抜き用開口を共用することもできる。つまり、第二開口と気体抜き用開口とを同一の開口とすることもできる。このようにすれば、開口を別々に形成する必要がなく、成形コストを低減させることができる。ここで、気体抜き用開口にはフィルターが取り付けられるが、このフィルターは液体を透過しないので、このような構成を採用した場合、本体管内の流路内の液体がフィルターに邪魔されて外部に流出できないことになる。このような問題に対しては、第二開口から液体を流出させる際（例えば、雄ルアー部材のテーパー状外壁と雌ルアーコネクターのテーパー状内壁とが当接して、本体管の流路と雌ルアーコネクターとが連通した際）に、第二開口（気体抜き用開口）からフィルターを除去するような構成を採用すればよい。
【００２４】
この場合、雄ルアー部材がフィルターおよび弁手段を兼用する構成が好適である。このような構成とすれば、雄ルアー部材がフィルターとして気体抜き用開口に取り付けられるとともに、弁手段として第二開口を閉塞・開放する。このため、第二開口から液体を流出させる際には、弁手段としての雄ルアー部材が移動して第二開口が開放されるので、液体は第二開口を通って流出可能となる。
【００２５】
また、前記雄ルアー部材は、弾性材料により成形されているとよい。雄ルアー部材を弾性材料で成形することにより、雌ルアーコネクターとの密着力が向上し、雄ルアーコネクターと雌ルアーコネクターとを結合したときに、より外れにくくなる。
【００２６】
また、前記雄ルアー部材には、前記フィルターが一体的に形成されている構成、または前記ルアー部材自体がフィルターである構成であると、なおよい。雄ルアー部材がフィルターを兼用することにより、別途フィルターを設けることを要しないので、より低コストで雄ルアーコネクターを製造することができる。また、雄ルアー部材にフィルターを一体的に形成する場合、雄ルアー部材は多孔性材料により成形されるものであるとよい。雄ルアー部材を多孔性材料、例えば空隙を内部に有するプラスチック材料などの多孔質樹脂のようなものとすれば、簡単な構成で且つ低コストに雄ルアー部材を製造することができる。
【００２７】
また、前記本体管は、前記第一開口を有する接続口部と、前記第二開口を有するとともに外周に前記雄ルアー部材が装着された導管部とを備え、前記接続口部と前記導管部とが分離して形成され、さらに導管部は、前記雄ルアー部材に対して前記第二開口を閉塞および開放するように移動可能に構成されているとよい。本体管が接続口部と導管部とに分離して形成されているため、導管部のみが単独で移動可能とされる。この場合、導管部のみの単独移動で第二開口を閉塞および開放することにより雄ルアーコネクターが雌ルアーコネクターに結合されていないときでも、導管部を移動して第二開口部を開放することができる。このため、例えば雄ルアーコネクターを雌ルアーコネクターに結合していないときに流路内の流体を外部に放出したいような場合、この導管部を移動させて放出させることができる。なお、この場合には、導管部の移動によって本体管内の流路から流体が外部に漏れないように、導管部の摺動部分にＯリングなどのシール部材を設けておくとよい。
【００２８】
また、本発明の雄ルアーコネクターは、前記本体管内の流路と前記一方の管体内の流路とを連通するように前記本体管と前記一方の管体との間に配設され、軸方向に伸縮可能な伸縮部材を有するものであるとよい。この場合、前記伸縮部材は、前記本体管に対する前記雄ルアー部材の移動に連動して伸縮するものであるとよい。
【００２９】
雄ルアーコネクターと雌ルアーコネクターとの結合を解除する場合、雌ルアーコネクター内から雄ルアー部材が引き抜かれることによって、雌ルアーコネクター内の空間が陰圧になる。雌ルアーコネクター内の空間が陰圧になると、雌ルアーコネクターに連結した管体内の液体が逆流してしまう。この逆流は好ましくない。この点につき、上記発明においては、本体管内の流路と管体内の流路とを連通するように伸縮部材が配設されているので、雌ルアーコネクター内から雄ルアー部材を引き抜く際に伸縮部材を収縮させることによって、伸縮部材内の空間に充填されている液体を本体管側に流し、本体管の第二開口側からこの液体を吐出させることができる。このようにして第二開口から吐出された液体は順方向の流れを形成するので、逆流の発生が防止される。
【００３０】
ここで、雌ルアーコネクターと雄ルアーコネクターとの結合が解除するときには、雄ルアー部材が本体管の外周を軸方向に移動して第二開口を閉塞する動作が伴うので、この雄ルアー部材の本体管に対する移動動作に連動して伸縮部材が伸縮するようにしておけば、雌ルアーコネクターから雄ルアー部材を引き抜くときに自動的に伸縮部材が収縮されて第二開口から液体を吐出することができる。よって、逆流の発生が自動的に防止される。この場合、伸縮部材は、雄ルアー部材が第二開口を閉塞する方向に移動するときに収縮し、開放する方向に移動するときに伸張するようにしておくとよい。
【発明を実施するための最良の形態】
【００３１】
（第一実施形態）
以下、本発明に係る雄ルアーコネクターについて、図面を用いて詳しく説明する。図１は、本発明の第一実施形態に係る雄ルアーコネクターの正面図、図２は平面図、図３は図２におけるＡ−Ａ断面図である。図において、雄ルアーコネクター１００は、本体管１１０と、雄ルアー部材１２０と、ロックリング１３０とを備えて構成されている。
【００３２】
本体管１１０は、細長の段付円筒状に形成されており、内部に流路１１５が形成されている。この流路１１５は、図３に示すように、直線状の流路軸Ｌを持って形成される。また、本体管１１０は、接続口部１１１、連結部１１２および導管部１１３を備えて構成されている。接続口部１１１は、図３において本体管１１０の右側の部分を形成するものであり、流路軸Ｌを軸とした円筒形状に形成されている。この接続口部１１１は、管体としての医療用チューブなどが取り付けられて、医療用チューブからの液体を本体管１１０内の流路１１５に送るための接続ポートである。
【００３３】
導管部１１３は、図３に示すように本体管１１０の図示左側の部分に形成され、流路軸Ｌを軸とした中空円筒状に形成されている。また、導管部１１３の図３において右側には、連結部１１２が形成されている。連結部１１２の外径は、導管部１１３の外径よりも大きくされている。したがって、導管部１１３と連結部１１２との間には、段差部１１４が形成されている。また、連結部１１２は、導管部１１３と同軸的となるように、流路軸Ｌを軸とした円筒形状に形成される。
【００３４】
本体管１１０内の流路１１５は、接続口部１１１、連結部１１２および導管部１１３を貫通して形成されている。本体管１１０の接続口部１１１側には、流路１１５の一端につながる第一開口１１１ａが形成される。また、導管部１１３側には、流路１１５の他端につながるエアー抜き用開口１１３ｂが形成される。さらに図に示すように、導管部１１３には、上記エアー抜き用開口１１３ｂの近傍であり、且つ導管部１１３の外周面に、第二開口１１３ａが形成される。この第二開口１１３ａは、導管部１１３の外周面に一つまたは複数形成されている。
【００３５】
雄ルアー部材１２０は、段付円筒形状に形成され、流路軸Ｌが中心軸となるように、本体管１１０の導管部１１３の外周に装着されている。また、雄ルアー部材１２０には、先端部１２１、雄側テーパー部１２２、基部１２３が形成されている。先端部１２１は、図３において雄ルアー部材１２０の左端の部分を形成する。この先端部１２１の図示左端には開口１２１ａが形成される。雄側テーパー部１２２は、先端部１２１の右側に連なった部分である。雄側テーパー部１２２の右側には、基部１２３が形成されている。基部１２３の外径は、雄側テーパー部１２２の右端部の外径よりも大きくされている。したがって、雄側テーパー部１２２と基部１２３との間には、流路軸Ｌに対して径方向外方に放射状に延びた段差部１２４が形成される。
【００３６】
雄側テーパー部１２２は、その外周面の外径が図３において右方から左方に行くにつれて小さくなる先細り状のテーパー形状とされたテーパー状外壁１２２ａを有する。なお、このテーパー状外壁１２２ａのテーパー角および径は、規格によりほぼ統一されているものである。一方、雄側テーパー部１２２の内周面の内径は、流路軸Ｌ方向にほぼ均一とされている。
【００３７】
図４は、雄ルアーコネクター１００の先端部（図３において左端側の部分）の拡大図である。雄ルアー部材１２０の先端部１２１は、図において右方から左方に行くにつれて内径が僅かに大きくなるように逆テーパー状に形成された逆テーパー状内壁１２１ｂを有している。したがって、先端部１２１の内径は、雄側テーパー部１２２との境において最も内径が小さい最小内径Ｄｍｉｎとされている。また、雄側テーパー部１２２の内径は、上記最小内径Ｄｍｉｎとほぼ等しい径で軸Ｌ方向に均一にされている。
【００３８】
一方、本体管１１０の導管部１１３の図４において左端側の外周は、図において右方から左方に行くにつれて外径が僅かに大きくなるような逆テーパー状に形成された逆テーパー状外壁１１３ｃを持つ。この逆テーパー状外壁１１３ｃの逆テーパー形状は、逆テーパー状内壁１２１ｂの逆テーパー形状に対応する部分を持つ。なお、逆テーパー状外壁１１３ｃは、雄ルアー部材１２０の先端部１２１に対応する部分のみに（図４において導管部１１３の左端側の部分のみ）に形成されており、その最小外径は上記最小内径Ｄｍｉｎと等しいものとされる。また、導管部１１３において、逆テーパー状外壁１１３ｃよりも図示右側の部分の外径は、上記最小外径と等しい径で軸Ｌ方向に均一にされる。
【００３９】
したがって、これらの逆テーパー状内壁１２１ｂと逆テーパー状外壁１１３ｃとが係合状態となった場合、双方がこれ以上近づく方向の移動は規制される。すなわち、本体管１１０が雄ルアー部材１２０に対して図４において右方向へ移動する動作、または雄ルアー部材１２０が本体管１１０に対して図４において左方向へ移動する動作が規制される。ただし、双方が離間する方向、すなわち、本体管１１０が雄ルアー部材１２０に対して図４において左方向へ移動する動作、または雄ルアー部材１２０が本体管１１０に対して図４において右方向へ移動する動作は許容される。
【００４０】
また、逆テーパー状内壁１２１ｂと逆テーパー状外壁１１３ｃとが係合した状態では、これらのテーパー状の壁面は、互いに摺接している状態とされている。このとき、雄側テーパー部１２２の内壁面は、導管部１１３の外壁面に当接される。したがって、導管部１１３に形成された第二開口１１３ａは、雄側テーパー部１２２の内壁面および逆テーパー状内壁１２１ｂに覆い隠され、閉塞された状態となっている。よって、図４に示す状態においては、本体管１１０の流路１１５内の液体が、第二開口１１３ａから外部にこぼれることはない。
【００４１】
図３に示すように、雄ルアー部材１２０の基部１２３は、雄側テーパー部１２２から段差部１２４によって拡径されている。このため、基部１２３と本体管１１０の導管部１１３との間には、円筒状の空間が形成される。この円筒状の空間の内部には、円筒形状の蛇腹部材１４０が配設されている。この蛇腹部材１４０は、ゴムにより成形されている。また、蛇腹部材１４０は、導管部１１３の外周を覆うよう円筒形状に形成され、その外周面が蛇腹状にされて、円筒軸方向に弾性力を発揮できるようにされている。さらに、蛇腹部材１４０は、その一端側が雄ルアー部材１２０の段差部１２４に当接され、その他端側が本体管１１０の段差部１１４に当接されている。
【００４２】
蛇腹部材１４０は、図３に示す状態で伸張力を発揮している状態で取り付けられる。したがって、斯かる伸張力によって、雄ルアー部材１２０が本体管１１０に対して図において左方向に移動しようとする。しかしながら、上述したように、雄ルアー部材１２０側の逆テーパー状内壁１２１ｂと、本体管１１０側の逆テーパー状外壁１１３ｃとの係合によって、雄ルアー部材１２０は、本体管１１０に対して図３において左方向への移動が規制されている。よって、雄ルアー部材１２０は、図３に示す状態から左方向には移動できないが、蛇腹部材１４０によって常時図示左方向への付勢力を付与されている状態とされる。この付勢力によって、第二開口１１３ａが雄ルアー部材１２０で閉塞される状態が維持される。
【００４３】
ロックリング１３０は、図３に示すように雄ルアー部材１２０および本体管１１０の外周を覆うように取り付けられている。このロックリング１３０は、円筒形状を呈しており、流路軸Ｌを中心として回転可能に本体管１１０に取り付けられている。また、ロックリング１３０は、その内周側にネジ部１３１が形成されている。ネジ部１３１にはネジが形成されており、後述する雌ルアーコネクターに形成された係合用の突起部に螺合して、雌ルアーコネクターを雄ルアーコネクター１００に結合させるためのものである。また、ロックリング１３０には、図示省略の係止片が形成されており、この係止片によって本体管１１０の連結部１１２に係止されている。斯かる係止によって、ロックリング１３０が本体管１１０に対して所定の範囲内での軸方向移動は可能であるが、それ以上の軸方向移動が規制される。このようにして、ロックリング１３０が本体管１１０から脱落しないようにされている。
【００４４】
図４からわかるように、導管部１１３の先端側（図示左端側）の内壁には、段差１１３ｄが形成されている。そして、この段差１１３ｄに係合するようにして、フィルター１５１が流路１１５内に配設されている。このフィルター１５１は、エアー抜き用開口１１３ｂを閉塞するように、導管部１１３の内壁に液密的に取り付けられている。また、フィルター１５１は、多孔性の樹脂材料で成形されており、気体透過性に優れ、且つ、液体は非透過のものとされる。したがって、流路１１５内の気体はフィルター１５１を透過して外部に放出可能とされるが、流路１１５内の液体はフィルター１５１を透過することはできず、液体がフィルター１５１を通過して外部に放出されるようなことはない。
【００４５】
図５は、本実施形態における雄ルアーコネクター１００に結合する雌ルアーコネクター１０の断面図である。この雌ルアーコネクター１０は、図において左から右に向かって内径が大きくなるラッパ形状を呈しており、接続口部１１、連結部１２および雌側テーパー部１３を備えるとともに、内部に流路１５が形成される。接続口部１１は、図において雌ルアーコネクター１０の左側の部分を形成し、その左端に流路１５の開口１１ａが形成されている。この接続口部１１は、医療用チューブなどの管体が接続され、流路１５内の液体を医療用チューブに流すための接続ポートである。
【００４６】
雌側テーパー部１３は、図において雌ルアーコネクター１０の右側の部分を形成するものである。雌側テーパー部１３は、図において右方から左方に行くにつれて内径が小さくなるテーパー状に形成されたテーパー状内壁１３ａを有する（なお、本明細書では、図において右方から左方に行くにつれて径が小さくなる様をテーパー状と称し、図において右方から左方に行くにつれて径が大きくなる様を逆テーパー状と称することとする）。このテーパー状内壁１３ａは、雄ルアー部材１２０の雄側テーパー部１２２に形成されたテーパー状外壁１２２ａに対応したテーパー角および径を有する部分を持つものとされる。また、雌側テーパー部１３の外周には、径方向外方に突出した突起部１３ｂが形成されている。この突起部１３ｂは、本実施形態においては雌側テーパー部１３の外周の対称的な２箇所の位置に設けられており、雌ルアーコネクター１０が雄ルアーコネクター１００と結合した際に、ロックリング１３０のネジ部１３１と螺合可能に構成される。
【００４７】
上記構成において、雄ルアーコネクター１００と雌ルアーコネクター１０とを結合させる前に、雄ルアーコネクター１００に形成された流路１１５内の気体を除去して、流路１１５内を流通すべき液体で充填する措置としてプライミングが行われる。このプライミングは、医療用チューブを雄ルアーコネクター１００の本体管１１０の接続口部１１１に接続した後に、医療用チューブ側から流通すべき液体を供給し、流路１１５内に液圧を付与することによって行われる。
【００４８】
プライミングによって医療用チューブから液体が供給され、流路１１５内に液圧が付与されると、この液圧によって流路１１５内の圧力が外部よりも高い圧力とされる。しかし、図３および図４に示すように、導管部１１３の外周に形成された第二開口１１３ａは、雄ルアー部材１２０の雄側テーパー部１２２の内壁および先端部１２１の逆テーパー状内壁１２１ｂに覆われており、閉塞された状態となっているので、この第二開口１１３ａから流路１１５内の液体や気体が外部に放出されることはない。
【００４９】
また、導管部１１３の端面に形成されたエアー抜き用開口１１３ｂには、気体透過性に優れたフィルター１５１が取り付けられている。したがって、流路１１５内の気体は、フィルター１５１を透過し、エアー抜き用開口１１３ｂを通って外部に放出される。このとき、フィルター１５１は液体を透過しないので、気体の放出ととともに液体が外部に漏れ出すことはない。そして、流路１１５中のほとんどの気体がフィルター１５１を通して外部に排出されて、充填すべき液体がフィルター１５１に隣接する程度に到達した段階で、プライミングが終了される。
【００５０】
次に、プライミングが完了した雄ルアーコネクター１００を雌ルアーコネクター１０に結合して、雄ルアーコネクター１００に接続された医療用チューブと、雌ルアーコネクター１０に接続された医療用チューブとをつなぐ作業を行う。図６は、雄ルアーコネクター１００と雌ルアーコネクター１０とを結合する際の作動状況を時系列的に示す図であり、図６（ａ）は両者を結合する前の状態を、図６（ｂ）は両者が結合されているが、雄ルアーコネクター１００側の流路１１５が雌ルアーコネクター１０側の流路１５に連通していない状態を、図６（ｃ）は両者が結合し、且つ、流路１１５と流路１５とが連通した状態の図を示している。
【００５１】
図６（ａ）に示すような雄ルアーコネクター１００と雌ルアーコネクター１０とが対面した状態から、雄ルアーコネクター１００をさらに図示左方に移動させて、雄ルアー部材１２０の先端部１２１および雄側テーパー部１２２を雌ルアーコネクター１０の雌側テーパー部１３の内部に侵入させる。すると、図６（ｂ）に示すように、雄ルアーコネクター１００の雄側テーパー部１２２のテーパー状外壁１２２ａが、雌ルアーコネクター１０の雌側テーパー部１３のテーパー状内壁１３ａに当接する。上述したように、テーパー状内壁１３ａのテーパー形状は、テーパー状外壁１２２ａのテーパー形状と対応しているため、これらを係合させると、テーパー状外壁１２２ａとテーパー状内壁１３ａとは全面で当接することになる。このような全面的な接触によって、雄側テーパー部１２２と雌側テーパー部１３とが当接される。
【００５２】
また、図６（ｂ）の状態では、雌ルアーコネクター１０の雌側テーパー部１３の外周に形成された突起部１３ｂは、雄側テーパー部１２２の軸方向の中腹あたりに位置している。この位置では、ロックリング１３０の内周に形成されたネジ部１３１で突起部１３ｂを捕捉可能である。したがって、ロックリング１３０を本体管１１０に沿って軸方向に許容範囲内で移動させてネジ部１３１の図示左端と突起部１３ｂとを対面させ、ロックリング１３０を回転させる。すると、突起部１３ｂは、ネジ部１３１によって螺合されて、雌ルアーコネクター１０と雄ルアーコネクター１００とがより強固に結合される。
【００５３】
また、このようなロックリング１３０の回転により、突起部１３ｂがネジ部１３１に巻き上げられて、ネジ部１３１の回転軸方向に沿って図示右方向に移動する。これに伴って、雌ルアーコネクター１０の全体が、雄ルアーコネクター１００に近づく方向（図示右方向）に移動する。ここで、雌ルアーコネクター１０の雌側テーパー部１３は雄ルアーコネクター１００の雄側テーパー部１２２に当接しており、両者がこれ以上相対的に近づくことはできない。このため、雄ルアー部材１２０は、雄側テーパー部１２２と雌側テーパー部１３との当接状態を保ったまま、雌ルアーコネクター１０の移動とともに、図６（ｂ）において右方へと移動する。なお、図６（ｂ），（ｃ）からわかるように、雄ルアー部材１２０が図示右方へ移動するときに、雄ルアー部材１２０の基部１２３が本体管１１０の連結部１１２に干渉しないように、連結部１１２の形状に工夫が施されている。
【００５４】
雄ルアー部材１２０は、蛇腹部材１４０によって図示左方向への付勢力を受けているが、ロックリング１３０の回転に伴い、この付勢力に抗して図示右方向へ移動する。このとき、ロックリング１３０およびロックリング１３０を係合している本体管１１０は移動しない。したがって、雄ルアー部材１２０が本体管１１０に相対的に図示右方向に移動する。そして、この移動が所定量進むと、雄ルアー部材１２０に閉塞されていた第二開口１１３ａが開放され、第二開口１１３ａを通じて本体管１１０内の流路１１５が雌ルアーコネクター１０の流路１５に連通する状態となる。この状態が図６（ｃ）の状態である。
【００５５】
よって、この図６（ｃ）の状態で、雄ルアーコネクター１００に接続された医療用チューブＡから液体を供給すれば、雄ルアーコネクター１００の本体管１１０に形成される流路１１５内の液体は、第二開口１１３ａから雌ルアーコネクター１０内の流路１５に流れ込む。そして、雌ルアーコネクター１０に接続された医療用チューブＢに流れる。このようにして、雄ルアーコネクター１００側の医療用チューブＡと雌ルアーコネクター１０側の医療用チューブＢが接続される。
【００５６】
以上のように、本実施形態の雄ルアーコネクター１００は、雄ルアー部材１２０の内壁によって本体管１１０の第二開口１１３ａを閉塞するように構成したので、雄ルアーコネクター１００が雌ルアーコネクター１０に結合されていない単独の状態では、雄ルアー部材１２０が弁手段として機能して、第二開口１１３ａを閉塞する。このため、第二開口１１３ａから流路１１５内の液体がこぼれることはない。よって、外部に薬液などがこぼれて付着した部分から菌が繁殖するようなことを防止できる。
【００５７】
また、テーパー状外壁１２２ａとテーパー状内壁１３ａとが液密的に当接しているときに、雄ルアー部材１２０が移動して第二開口１１３ａを開放し、本体管１１０側の流路１１５と雌ルアーコネクター１０側の流路１５とが連通される。これにより雄ルアーコネクター１００に接続された医療用チューブＡと雌ルアーコネクター１０に接続された医療用チューブＢとが接続され、これらのチューブＡ−Ｂ間で流体の流通が成される。このように、雄ルアーコネクター１００が雌ルアーコネクター１０と結合されたときは、流路が開通されてコネクターとしての機能を適格に果たす。
【００５８】
また、プライミング時には、本体管１１０内の流路１１５内に存在するエアーなどの気体がフィルター１５１を通過し、エアー抜き用開口１１３ｂから外部に放出される。一方、流路１１５中の液体は、液体非透過性のフィルター１５１を通り抜けることができないため、プライミング中に気体抜き用開口１１３ｂを通じて本体管１１０内の液体が外部に漏れ出すことはない。また、このとき第二開口１１３ａは雄ルアー部材１２０によって閉塞されているので、第二開口１１３ａから液体が漏れることもない。よって、液体のこぼれなどの液体の無駄な消費を防止しつつプライミングを実行することができる。さらに、こぼれた液体で菌の繁殖が起こることもない。
【００５９】
また、第二開口１１３ａを閉塞または開放する弁手段としての機能を、雄ルアー部材１２０に持たせた構成であるので、別途上記機能を奏する弁手段を設けなくてもよい。したがって、低コストにて雄ルアーコネクターを製造することができる。さらに、第二開口１１３ａは本体管１１０の導管部１１３の外周面に形成されており、雄ルアー部材１２０はこの第二開口１１３ａを閉塞および開放できるように、図６（ａ）において左方向に、導管部１１３の外周を移動可能とされている。このような構成であれば、雄ルアー部材１２０の構造を特に変更することなく雄ルアー部材１２０に弁としての機能を持たせることができる。
【００６０】
また、雄ルアー部材１２０のテーパー状外壁１２２ａが雌ルアーコネクター１０のテーパー状内壁１３ａに当接した状態で雌ルアーコネクター１０がロックリング１３０の回転に伴って移動することによって、雄ルアー部材１２０が第二開口１１３ａを開放する方向に移動される。このため、上記当接状態を維持しつつ、第二開口１１３ａが開放される。よって、第二開口１１３ａを開放させるために、別途雄ルアー部材１２０を移動させる構成を要しない。
【００６１】
また、本実施形態の雄ルアーコネクター１００は、雄ルアー部材１２０が第二開口１１３ａを閉塞するように移動する方向（図３において左方向）に雄ルアー部材１２０を付勢する付勢手段としての蛇腹部材１４０を備える。この蛇腹部材１４０によって、雄ルアーコネクター１００が雌ルアーコネクター１０に結合されていないときは、雄ルアー部材１２０による第二開口１１３ａの閉塞状態が維持される。このため、プライミング時などに確実に第二開口１１３ａから薬液などがこぼれることを防止できる。
【００６２】
また、上記蛇腹部材１４０は、本体管１１０の外周を覆うように配設されるとともに、一端が本体管１１０の段差部１１４に当接され、他端が雄ルアー部材１２０の段差部１２４に当接され、外周が蛇腹状とされた部材である。このような形状とすることで、外周の蛇腹状の部分が付勢力に抗した力を受けて変形しても、場所を取ることなく折り畳まれる。よって、このような蛇腹部材１４０を取り付けスペースに苦慮することなく取り付けることが可能となる。また、折り畳まれるときの折れ目が常に同じ部分であり、折りたたみ癖がついているので、破損しにくい。このため、蛇腹部材１４０の信頼性を向上させることができる。
【００６３】
また、本実施形態の雄ルアーコネクター１００は、ロックリング１３０と雌ルアーコネクター１０とを螺合接続することによって、雌ルアーコネクター１０が雄ルアーコネクター１００に結合されるようにしてある。このため、確実に雌ルアーコネクター１０と雄ルアーコネクター１００とを結合させておくことができる。
【００６４】
また、ロックリング１３０の回転により雌ルアーコネクター１０が移動する方向と、雌側テーパー部１３のテーパー状内壁１３ａと雄側テーパー部１２２のテーパー状外壁１２２ａとが当接するように雌ルアーコネクター１０が移動する方向と、雄ルアー部材１２０が第二開口１１３ａを開放させるように移動する方向とは同じ方向（図６において右方向）である。したがって、ロックリング１３０を回転させるのみで、雄ルアーコネクター１００と雌ルアーコネクター１０との結合を完了させることができるとともに、テーパー状外壁１２２ａとテーパー状内壁１３ａとの係合を維持しつつ、雄ルアー部材１２０が移動して第二開口１１３ａを開放させることができる。
【００６５】
また、エアー抜き用開口１１３ｂは、本体管１１０の導管部１１３の端面に形成されている。このため、本体管１１０の全領域に滞留する気体を端面に集め、ここから外部に除去することができ、プライミング操作によってほとんどの気体を除去することができる。
【００６６】
また、雄ルアー部材１２０は、蛇腹部材１４０からの付勢力によって、本体管１１０の前方側（図３において左方側）に付勢されるとともに、本体管１１０の導管部１１３の先端部分の外周に形成された逆テーパー状外壁１１３ｃと雄ルアー部材１２０の先端部１２１の内周に形成された逆テーパー状内壁１２１ｂとの係合によって、雄ルアー部材１２０が本体管１１０の前方に抜け落ちるのが防止される。このため、雄ルアー部材１２０を逆テーパー状外壁１１３ｃと逆テーパー状内壁１２１ｂとが係合した位置にセットしておくことができ、この位置で確実に第二開口１１３ａを閉塞することができる。
【００６７】
（第二実施形態）
次に、本発明の第二実施形態につき説明するが、本実施形態は、雄ルアー部材にレバー部を設け、このレバー部を操作することによって、人手によっても雄ルアー部材を動作できるようにした点に特徴を有し、その他の点については、基本的には上記第一実施形態と同様の形態である。なお、以下の実施形態および変形例においては、上記第一実施形態と同一部分については同一の呼び名で称するとともに上記第一実施形態で付した符号のうちの下二桁の数字を同じものとして付してその具体的説明を省略し、上記第一実施形態とは異なる部分を中心に説明する。
【００６８】
図７は、本実施形態における雄ルアーコネクターの断面図である。図からわかるように、本実施形態の雄ルアーコネクター２００は、本体管２１０と、雄ルアー部材２２０と、ロックリング２３０とを備えて構成されている。本体管２１０は、接続口部２１１、連結部２１２および導管部２１３を備えて構成される。接続口部２１１、連結部２１２および導管部２１３の配置構成は、第一実施形態における場合と基本的に同一である。また、本体管２１０の内部には、流路軸Ｌを持ち、接続口部２１１、連結部２１２および導管部２１３を貫通する流路２１５が形成されている。
【００６９】
雄ルアー部材２２０は、段付円筒形状に形成され、本体管２１０の導管部２１３を覆うように、その外周に装着されている。また、雄ルアー部材２２０には、雄側テーパー部２２２、基部２２３、レバー部２２５が形成されている。雄側テーパー部２２２は、雄ルアー部材２２０の図において左側に形成される円筒状の部分であり、上記第一実施形態における雄側テーパー部１２２と同様に、その外周に図において右方から左方に行くにつれて外径が小さくなるテーパー状外壁２２２ａを有している。さらに、雄側テーパー部２２２は、その内周に、図において右方から左方に行くにつれて内径が大きくなる逆テーパー状内壁２２２ｂを有している。
【００７０】
基部２２３は雄側テーパー部２２２の図示右側に形成される。基部２２３は、雄側テーパー部２２２と同軸的となる円筒形状に形成されており、その外径は、雄側テーパー部２２２の外径よりも大きくされている。したがって、雄側テーパー部２２２と基部２２３との間には、流路軸Ｌに対して径方向外方に放射状に延びた段差部２２４が形成される。さらに基部２２３の図示右側には、レバー部２２５が形成される。このレバー部２２５は、基部２２３の右端部から、流路軸Ｌに対して径外方に延びて形成されている。また、基部２２３からレバー部２２５にかけて、軸方向に細長いスリット２２６が形成されている。
【００７１】
図７に示すように、本体管２１０の導管部２１３の図示左半分程度、具体的には、雄側テーパー部２２２の逆テーパー状内壁２２２ｂに対面する部分における外周は、図において右方から左方にいくにつれて外径が大きくなる逆テーパー状に形成された逆テーパー状外壁２１３ｃを有する。この逆テーパー状外壁２１３ｃのテーパー形状は、雄側テーパー部２２２の逆テーパー状内壁２２２ｂのテーパー形状に対応する。また、逆テーパー状外壁２１３ｃの最小外径と、逆テーパー状内壁２２２ｂの最小内径とは、ほぼ一致した径とされる。
【００７２】
図７に示した状態は、導管部２１３の逆テーパー状外壁２１３ｃと、雄側テーパー部２２２の逆テーパー状内壁２２２ｂとが当接した状態である。このように対応したテーパー形状が当接している状態では、これらのテーパー面がより近づく方向への移動は規制される。すなわち、本体管２１０が雄ルアー部材２２０に対して図において右方向へ移動する動作、または、雄ルアー部材２２０が本体管２１０に対して図において左方向へ移動する動作が規制される。ただし、これらの逆テーパー面が離間する方向、すなわち、本体管２１０が雄ルアー部材２２０に対し、図において左方向へ移動する動作、または、雄ルアー部材２２０が本体管２１０に対し、図において右方向へ移動する動作、は許容される。
【００７３】
また、導管部２１３の外周に形成された第二開口２１３ａは、雄側テーパー部２２２の内周壁である逆テーパー状内壁２２２ｂに覆い隠され、閉塞された状態となっている。したがって、本体管２１０の流路２１５内の液体が、第二開口２１３ａから外部にこぼれることはない。また、雄ルアー部材２２０の基部２２３の内壁と本体管２１０の導管部２１３の外壁との間には円筒状の空間が形成され、この円筒状の空間の内部には、円筒形状の蛇腹部材２４０が収納されている。そして、この蛇腹部材２４０の付勢力が雄ルアー部材２２０に作用することによって、雄ルアー部材２２０が上記付勢力を受けつつ図７に示した位置に保持される。このため、雄ルアー部材２２０が第二開口２１３ａを閉塞する状態が維持される。
【００７４】
また、本体管２１０の連結部２１２の図７において左側、すなわち導管部２１３との連結部分には、流路軸Ｌに対して径外方向に突出した突起部２１６が形成されている。この突起部２１６は、本実施形態においては、周方向に９０度間隔で４個設けられている。また、この突起部２１６は、雄ルアー部材２２０の基部２２３およびレバー部２２５に形成されたスリット２２６内に挿入するような状態で配置しており、突起部２１６の先端がスリット２２６から飛び出すような状態とされている。
【００７５】
ロックリング２３０は、図７に示すように雄ルアー部材２２０および本体管２１０の外周を覆うように取り付けられている。このロックリング２３０は、全体的に見て円筒形状を呈しており、内周にネジ部２３１が形成されている。また、図からわかるように、ネジ部２３１のうち、最も右端のネジ溝には、雄ルアー部材２２０のスリット２２６から突出した突起部２１６の先端部分が係合している。この係合によって、ロックリング２３０が本体管２１０に対して回転可能且つ軸方向移動不能に固定されて、本体管２１０から脱落しないようにされている。
【００７６】
導管部２１３の先端側（図示左端側）の内壁には、段差２１３ｄが形成されている。そして、この段差２１３ｄに係合するようにして、フィルター２５１が流路２１５内に配設されている。このフィルター２５１は、エアー抜き用開口２１３ｂを閉塞するように、導管部２１３の内壁に液密的に取り付けられている。フィルター２５１は、上記第一実施形態で説明したフィルター１５１と同様に、気体透過性に優れ、且つ液体は非透過である。なお、その他の構成、および、本実施形態の雄ルアーコネクター２００に結合される雌ルアーコネクターの構成は、概ね上記第一実施形態で説明したものと同じであるので、その具体的説明を省略する。
【００７７】
上記構成において、雄ルアーコネクター２００と雌ルアーコネクター１０とを結合させる前に、プライミングが行われる。このプライミングにおいて、第一実施形態で説明したように、流路２１５中のエアーなどの気体は、フィルター２５１を透過してエアー抜き用開口２１３ｂから外部に排出される。また、フィルター２５１は液体を通さず、さらに第二開口２１３ａは雄側テーパー部２２２の内壁に閉塞された状態となっているので、流路２１５内の液体は、エアー抜き用開口２１３ｂ、第二開口２１３ａのいずれからも外部に流出できず、プライミング時に液体がこぼれるようなことはない。
【００７８】
ところで、プライミングを完了させた場合であっても、流路２１５中に気泡が残存することがある。この場合、プライミングによって既に液体が流路２１５中に充填されてしまっていると、いくら液圧を付与したとしても、流路２１５中に残存する気泡をフィルター２５１側に移動させて排出することはできない。よって、このような残存気泡は、プライミングで除去することはできない。本実施形態において、万一このような残存気泡が存在する場合には、手動により雄ルアー部材２２０のレバー部２２５を図７の矢印Ａで示すように右方向に引き込む操作を行う。この操作によって、雄ルアー部材２２０は本体管２１０に対して図示右方向に移動し、図８に示す状態となる。
【００７９】
すると、それまで雄ルアー部材２２０の雄側テーパー部２２２の内壁に覆われて閉塞していた第二開口２１３ａが、雄ルアー部材２２０の移動によって開放される。このため、接続口部２１１側に接続された医療用チューブからの液圧の付与によって、本体管２１０の流路２１５内の液体が第二開口２１３ａから流出する。この流出により、本体管２１０の流路２１５内に流れが生じる。したがって、流路２１５中に残存する気泡は、この流路２１５内の流れによって流され、第二開口２１３ａから外部に放出される。このようにして、手動でレバー部２２５を操作することにより、残存気泡が外部に放出される。
【００８０】
このような残存気泡の排出措置は、残存気泡とともに流路２１５内の液体が外部にこぼれることとなるので、液体の余分な消費、および、こぼれた部分からの菌の繁殖などの観点からすれば、多用すべきではないが、万一プライミングを行っても残存気泡が残るような場合には、これらの気泡を完全に除去することができるという点において有利であり、このような機能を備えた雄ルアーコネクターとすることにより、利便性を向上させることができる。
【００８１】
次に、プライミングが完了した雄ルアーコネクター２００を雌ルアーコネクター１０に結合して、雄ルアーコネクター２００に接続された医療用チューブと、雌ルアーコネクター１０に接続された医療用チューブとをつなぐ作業を行うが、この作業は、上記第一実施形態で説明したものと同一である。図９は、雄ルアーコネクター２００と雌ルアーコネクター１０とを結合する際の作動状況を示す図であり、図９（ａ）は両者を結合する前の状態を、図９（ｂ）は両者が結合されているが、雄ルアーコネクター２００側の流路２１５と雌ルアーコネクター１０側の流路１５が連通していない状態を、図９（ｃ）は両者の結合が完了し、且つ流路２１５と流路１５とが連通された状態の図を示している。
【００８２】
図９（ａ）に示す状態から、雄ルアーコネクター２００をさらに図示左方に移動させて、雄ルアー部材２２０の雄側テーパー部２２２を雌ルアーコネクター１０の雌側テーパー部１３の内部に侵入させる。すると、図９（ｂ）に示すように、雄ルアーコネクター２００の雄側テーパー部２２２のテーパー状外壁２２２ａが、雌ルアーコネクター１０の雌側テーパー部１３のテーパー状内壁１３ａに当接する。さらに、図９（ｂ）の状態から、ロックリング２３０の内周に形成されたネジ部２３１で雌ルアーコネクター１０の突起部１３ｂを捕捉して、ロックリング２３０を回転させる。すると、ロックリング２３０の回転によって突起部１３ｂがネジ部２３１に螺合され、雌ルアーコネクター１０と雄ルアーコネクター２００とがより強固に結合される。
【００８３】
また、ロックリング２３０の回転によって突起部１３ｂがネジ部２３１に巻き上げられて、ネジ部２３１の回転軸方向である図示右方向に移動し、これに伴い雄ルアー部材２２０が本体管２１０に対して図示右方向に移動する。この雄ルアー部材２２０の移動により、雄ルアー部材２２０に閉塞されていた本体管２１０の第二開口２１３ａが開放され、第二開口２１３ａを通じて本体管２１０内の流路２１５が雌ルアーコネクター１０の流路１５に連通する状態となる。この状態が図９（ｃ）の状態である。
【００８４】
よって、図９（ｃ）の状態で、雄ルアーコネクター２００に接続された医療用チューブ（図示省略）から液圧を付与すれば、雄ルアーコネクター２００の本体管２１０内の液体は、第二開口２１３ａから雌ルアーコネクター１０内の流路１５に流れ込む。そして、雌ルアーコネクター１０に接続された医療用チューブ（図示省略）に流れる。このようにして、雄ルアーコネクター２００側の医療用チューブと雌ルアーコネクター１０側の医療用チューブが接続される。
【００８５】
本実施形態においては、雄ルアー部材２２０にレバー部２２５を設け、このレバー部２２５を手動（あるいは自動）で操作することにより、雄ルアーコネクター２００が雌ルアーコネクター１０に接続されていない状態においても第二開口２１３ａを開放させることができる。このため、プライミングにおいて除去しきれなかった残存気泡があった場合、レバー部２２５の操作によって第二開口２１３ａを開放させて流路２１５内に液体の流れを生じさせ、残存気泡をこの液体の流れに乗せて、第二開口２１３ａから排出することができる。
【００８６】
また、レバー部２２５が基部２２３から図示右方に延出して形成されているため、基部２２３が突起部２１６と干渉するおそれがあるが、この点につき、本実施形態では、雄ルアー部材２２０の基部２２３からレバー部２２５にかけて、流路軸Ｌ方向に沿ってスリット２２６を設け、突起部２１６がスリット２２６内に挿入されるように配設されている。したがって、レバー部２２５を流路軸Ｌ方向に操作しても、雄ルアー部材２２０の基部２２３と突起部２１６とが干渉することはない。
【００８７】
（変形例）
図１０は、本実施形態の変形例としての雄ルアーコネクター２０１の断面図である。この雄ルアーコネクター２０１は、上記第二実施形態において説明した蛇腹部材２４０を設けていない点が、上記第二実施形態と異なり、その他の構成は同一である。蛇腹部材２４０を設けていない本例の構成によれば、雄ルアー部材２２０が図において左方向に受ける付勢力が発生しない。したがって、雄ルアー部材２２０は、本体管２１０に対して軸方向に移動可能な状態となる。
【００８８】
しかし、雄ルアー部材２２０の雄側テーパー部２２２に形成された逆テーパー状内壁２２２ｂと、本体管２１０の図示左方の領域に形成された逆テーパー状外壁２１３ｃとの当接によって多少の固定力が発揮される。よって、この状態でプライミングを行っても、雄ルアー部材２２０が移動して第二開口２１３ａが開放されることはない。そして、雄ルアー部材２２０を雌ルアーコネクター１０と結合させて、ロックリング２３０を回転させることによって、雄ルアー部材２２０が移動して、第二開口２１３ａが開放される。このようにして開放された第二開口２１３ａから、流路２１５内の液体が雌ルアーコネクター１０側に流れる。
【００８９】
また、使用後の雄ルアーコネクター２０１を雌ルアーコネクター１０から取り外す際は、まずロックリング２３０を回転させてネジ部２３１と突起部１３ｂとの螺合を解き、その後、レバー部２２５を持ちながら本体管２１０を引き抜く。このようにすれば、本体管２１０の引き抜き動作によって第二開口２１３ａが雄ルアー部材２２０で閉塞される。そして、第二開口２１３ａが閉塞した状態のまま雌ルアーコネクター１０との結合が解かれる。このため、雄ルアーコネクター２０１を雌ルアーコネクター１０から取り外す際の液漏れを防止することができる。
【００９０】
したがって、雄ルアー部材２２０を本体管２１０に付勢する蛇腹部材などを要せずともプライミングができる構造であれば、蛇腹部材を省略して雄ルアーコネクターを構成することができる。特に、この種の部品は一度使用したら廃棄するディスポーザブルなものが多いため、本例のように蛇腹部材を必要としない設計とすれば、低コストに雄ルアーコネクターを製造することができる。
【００９１】
（第三実施形態）
次に、本発明の第三実施形態につき説明するが、本実施形態は、雄ルアー部材の外周に蛇腹部材を取り付けた点に特徴を有し、その他の点については概ね上記第二実施形態と同様の形態である。以下、本実施形態の特徴点を中心に説明する。
【００９２】
図１１は、本実施形態における雄ルアーコネクター３００の断面図である。図からわかるように、本実施形態における雄ルアーコネクター３００は、雄ルアー部材３２０の雄側テーパー部３２２の外周部に第一蛇腹部材３６１が取り付けられている。さらに、雄ルアー部材３２０の基部３２３の図示左方の外周部には、第二蛇腹部材３６２が取り付けられている。これらの第一、第二蛇腹部材３６１，３６２はゴム状の材質で成形されており、雄側テーパー部３２２、および基部３２３の左方側の外周を取り巻くように円筒状に形成されている。
【００９３】
第一蛇腹部材３６１の一端（図示右端）は、雄ルアー部材３２０の雄側テーパー部３２２と基部３２３との間に取り付けられており、この部分で第一蛇腹部材３６１が雄ルアー部材３２０に固定されている。また、第二蛇腹部材３６２は、その一端（図示左端）が第一蛇腹部材３６１の端部に接しており、一方、その他端（図示右端）が本体管３１０に形成された突起部３１６に当接している。ここで、第二蛇腹部材３６２は、図１１に示す状態で自然長であるか、または、伸張力を発生させる状態とされる。このため、第二蛇腹部材３６２は第一蛇腹部材３６１およびこの第一蛇腹部材３６１が固定されている雄ルアー部材３２０を図示左方へ付勢する。
【００９４】
また、図１１に示す状態では、雄ルアー部材３２０が本体管３１０の導管部３１３の図示左端側の外周に開口した第二開口３１３ａを閉塞している。この状態は、上記した第一および第二蛇腹部材３６１および３６２の付勢力によって維持されて、雄ルアー部材３２０による第二開口３１３ａの閉塞が確実になされるようにされる。その他の構成は、基本的には上記第二実施形態で説明した雄ルアーコネクターと同一であるので、具体的な説明は省略する。
【００９５】
このような構成において、プライミング時には、流路３１５内のエアーなどの気体は、気体透過性に優れたフィルター３５１を通過し、エアー抜き用開口３１３ｂより外部に放出される。このとき、フィルター３５１は液体を透過しないので、気体の放出ととともに液体が外部に漏れ出すことはない。
【００９６】
次に、雄ルアーコネクター３００を雌ルアーコネクターに結合する場合について説明する。図１２は、雄ルアーコネクター３００を雌ルアーコネクター１０に結合したときの断面図である。図に示すように、雌ルアーコネクター１０の雌側テーパー部１３が雄ルアーコネクター３００の雄側テーパー部３２２に結合するように雌ルアーコネクター１０が移動してくると、雌側テーパー部１３の先端部分で雄側テーパー部３２２の外周に配置された第一蛇腹部材３６１を押しのけていく。そして、雌側テーパー部１３のテーパー状内壁１３ａと雄側テーパー部３２２のテーパー状外壁３２２ａとが当接する。さらに移動が進むと、雄ルアー部材３２０が本体管３１０に対して図示右方向に移動して、第二開口３１３ａが開放される。そして、流路３１５内の液体が第二開口３１３ａから流出されて、雌ルアーコネクター１０内の流路１５側に流れる。このように、雄ルアー部材３２０の外周に付勢部材としての第一、第二蛇腹部材３６１，３６２を設ける構成としても、本発明を実施することができる。
【００９７】
（第四実施形態）
次に、本発明の第四実施形態につき説明するが、本実施形態は、液体を流出させる開口部と、エアーなどの気体を除去するための開口部とを同一の開口部とし、且つ、雄ルアー部材を気体透過性の優れた弾性材料で構成した点に特徴を有する。以下、本実施形態の特徴点を中心に説明する。
【００９８】
図１３は、本実施形態における雄ルアーコネクター４００の要部の断面図である。図に示すように、本実施形態における雄ルアーコネクター４００において、本体管４１０の先端部である図示左端面は、閉塞されている。また、導管部４１３の外周には、環状溝４１３ｃが周方向に沿って形成されている。この環状溝４１３ｃの図示左端側の底面には、第二開口４１３ａが形成されている。
【００９９】
また、雄ルアー部材４２０は、円筒状に形成されており、導管部４１３に形成された環状溝４１３ｃ内に嵌め込まれた状態で配設されている。この雄ルアー部材４２０の外周は、図において右から左にいくにつれて径が小さくなるテーパー状外壁４２２ａとされている。また、雄ルアー部材４２０は、弾性変形可能であって、内部および表面に多数の空隙が形成された多孔性の樹脂材料によって形成される。この多数の空隙によって、気体透過性に優れたものとされている。ただし、液体は透過しないようにされている。
【０１００】
上述したように、第二開口４１３ａは、導管部４１３の外周に形成された環状溝４１３ｃの底面に開口して形成されている。しかし、この環状溝４１３ｃには、雄ルアー部材４２０が嵌めこまれており、図に示す状態では、環状溝４１３ｃの底面の全面を、雄ルアー部材４２０の内壁で覆っている状態とされている。したがって、第二開口４１３ａは、雄ルアー部材４２０によって閉塞されている。
【０１０１】
このような構成において、プライミング時には、流路４１５内のエアーなどの気体は、第二開口４１３ａを経て、雄ルアー部材４２０の内壁面に面する。ここで、雄ルアー部材４２０は、気体透過性に優れるので、気体は、この雄ルアー部材４２０を透過して外部に放出される。このとき、雄ルアー部材４２０は液体を透過しないので、気体の放出ととともに液体が外部に漏れ出すことはない。
【０１０２】
次に、雄ルアーコネクター４００を雌ルアーコネクターに結合する場合について説明する。図１４は、雄ルアーコネクター４００と雌ルアーコネクター１０とが結合した際の状況を示す図であり、（ａ）は、両コネクターが結合されているが、雄ルアーコネクター側の流路４１５と雌ルアーコネクター側の流路１５が連通していない状態、（ｂ）は、両コネクターが結合し、流路４１５と流路１５とが連通されている状態を、それぞれ示す図である。雌ルアーコネクター１０と雄ルアーコネクター４００とを近接させると、やがて図１４（ａ）に示すように雌側テーパー部１３のテーパー状内壁１３ａと雄ルアー部材４２０のテーパー状外壁４２２ａとが当接する。
【０１０３】
図１４（ａ）に示す状態から、ロックリング４３０を回転させると、ロックリング４３０の内壁に形成されたネジ部４３１が雌側テーパー部１３の外周に形成された突起部１３ｂを巻き上げて、雌ルアーコネクター１０がさらに図示右方向に移動しようとする。この移動に伴って、雄ルアー部材４２０も、上記当接を維持したまま図示右方向に移動しようとする。
【０１０４】
しかし、雄ルアー部材４２０は、導管部４１３の外周に形成された環状溝４１３ｃ内に嵌り込んでいるので、雄ルアー部材４２０が図において右方向に移動しようとしても、環状溝４１３ｃの側壁に干渉してしまう。ここで、本実施形態における雄ルアー部材４２０は、弾性変形可能な多孔性樹脂材料で形成されている。したがって、雄ルアー部材４２０のうち、雌側テーパー部１３のテーパー状内壁１３ａに当接していない部分Ａは、雌ルアーコネクター１０の図示右方向への移動により座屈変形する。そして、図１５に示すように、部分Ａが折り畳まれて、その軸方向長さが短縮される。
【０１０５】
このようにして部分Ａが折り畳まれて、軸方向長さが短縮された分だけ、雌ルアーコネクター１０は図示右方向に移動される。このとき、雌側テーパー部１３と雄ルアー部材４２０との当接が維持され、雄ルアー部材４２０のうち、雌側テーパー部１３と当接している部分Ｂのみが、雌ルアーコネクター１０とともに本体管４１０に対して図示右方向に移動する。この移動によって、それまで雄ルアー部材４２０で閉塞されていた第二開口４１３ａが開放される。したがって、本体管４１０の流路４１５内の液体は、第二開口４１３ａから流出される。第二開口４１３ａから流出された液体は、雌ルアーコネクター１０側の流路１５に流れる。
【０１０６】
本実施形態の雄ルアーコネクター４００は、プライミング時において、流路４１５内のエアーが、本体管４１０（導管部４１３）の外周面に形成された第二開口４１３ａを通り、さらに雄ルアー部材４２０を透過して外部に放出される。つまり、第一乃至第三実施形態において説明したエアー抜き用開口（気体抜き用開口）が、本実施形態においては、本体管４１０（導管部４１３）の外周面に形成されている。このため、プライミング時にフィルターとして機能する雄ルアー部材４２０には径方向に均等に気体の圧力が作用するため、十分に圧力を分散でき、局所的に圧力がかかる部分はない。このため、フィルターとしての信頼性を向上させることができる。
【０１０７】
また、液体の流出口として用いられる第二開口４１３ａを、エアー抜きとして用いられる気体抜き用開口として共用する構成であるため、これらの開口を別々に形成する必要がなく、成形コストを低減させることができる。さらに、本実施形態では、雄ルアー部材４２０をフィルターとして用いており、第二開口４１３ａを閉塞および開放する弁手段としての機能に加え、フィルターとしての機能を持たせてある。すなわち、フィルターが雄ルアー部材４２０に一体に形成されている。よって、別途フィルターを設けることを要しないので、より低コストで雄ルアーコネクターを製造することができる。また、雄ルアー部材４２０を多孔性の材料により成形しているため、簡単な構成で且つ低コストに、フィルター兼用の雄ルアー部材４２０を製造することができる。
【０１０８】
さらに、雄ルアー部材４２０が弾性変形可能な樹脂材料（弾性材料）により成形されているので、雌ルアーコネクター１０の雌側テーパー部１３と当接する際の密着力が向上し、雄ルアーコネクター４００と雌ルアーコネクター１０とを結合したときに、より外れにくくすることができる。
【０１０９】
（第五実施形態）
次に、本発明の第五実施形態につき説明するが、本実施形態は、本体管の導管部と接続口部とを分離して構成し、導管部を接続口部に対して液密的に相対移動可能に構成した点に特徴を有する。以下、本実施形態の特徴点を中心に説明する。
【０１１０】
図１５は、本実施形態における雄ルアーコネクター５００の要部の断面図である。図に示すように、本実施形態における雄ルアーコネクター５００の本体管５１０は、第一パーツ６１０と第二パーツ６２０とに分離して形成されている。第一パーツ６１０は接続口部６１１と外挿部６１２とを備えて構成されている。接続口部６１１には、その図示右端の第一開口６１１ａに医療用チューブなどの管体が接続される部分である。外挿部６１２は、接続口部６１１に連結されており、接続口部よりも内径および外径が大きくされている。したがって、第一パーツ６１０は、全体的に、段付円筒状に形成されている。そして、その内部には、接続口部６１１から外挿部６１２にかけて貫通した第一流路６１５が形成されている。
【０１１１】
また、第二パーツ６２０は、導管部６２３および内挿部６２２を備えて構成されている。導管部６２３は円筒形状に構成され、その一端面（図示左端面）が閉塞されているとともに、この一端面の近傍に位置する外周面に、第二開口６２３ａが形成されている。この第二開口６２３ａは、導管部６２３の周方向に一つまたは複数形成される。また、内挿部６２２は、導管部６２３の図示右側に形成される部分であり、円筒形状に構成されている。そして、第二パーツ６２０の内部には、導管部６２３から内挿部６２２にかけて貫通した第二流路６２５が形成されている。また、第二パーツ６２０には、導管部６２３と内挿部６２２との間に突起部６２６が形成されている。この突起部６２６は、第二パーツ６２０の径外方に突出して形成されており、本実施形態においては周方向に９０度間隔で４個形成されている。
【０１１２】
図からわかるように、第二パーツ６２０の内挿部６２２は、第一パーツ６１０の外挿部６１２の内周側に入り込んでいる。ここで、外挿部６１２の内径は、内挿部６２２の外径よりも僅かに大きくされている。したがって、内挿部６２２は、外挿部６１２の内周において、軸方向に移動可能とされている。また、外挿部６１２の内壁と内挿部６２２の外壁との間には、Ｏリング６６０が取り付けられている。したがって、このＯリング６６０によって、内挿部６２２が外挿部６１２内に収納された場合に、第一パーツ６１０内の第一流路６１５と第二パーツ６２０内の第二流路６２５とが液密的に連通される。
【０１１３】
雄ルアー部材５２０は、段付円筒形状に形成され、本体管５１０の導管部６２３を覆うように、その外周に装着されている。また、この雄ルアー部材５２０は、雄側テーパー部５２２および基部５２３を備えて構成される。雄側テーパー部５２２は、雄ルアー部材５２０の図において左側に形成される円筒状の部分であり、上記第一実施形態における雄側テーパー部１２２と同様に、その外周に図において右方から左方に行くにつれて外径が小さくなるテーパー状外壁５２２ａを有している。
【０１１４】
基部５２３は雄側テーパー部５２２の図示右側に形成される。基部５２３は、雄側テーパー部５２２と同軸的となる円筒形状に形成されており、その外径は、雄側テーパー部５２２の外径よりも大きくされている。したがって、雄側テーパー部５２２と基部５２３との間には、径方向外方に放射状に延びた段差部５２４が形成される。また、基部５２３には、軸方向に細長いスリット５２６が形成されている。このスリット５２６内には、本体管５１０の突起部６２６が入り込んでおり、このスリット５２６によって、雄ルアー部材５２０や本体管５１０が軸方向に移動した際の干渉を防止している。
【０１１５】
また、雄側テーパー部５２２の図示左側の外周には、第三開口５２２ｂが形成されている。この第三開口５２２ｂは、図に示すように、導管部６２３の外周に形成された第二開口６２３ａに対面した位置に形成される。したがって、第二開口６２３ａと第三開口５２２ｂとは連通した状態とされている。さらに、第三開口５２２ｂには、フィルター６５１が取り付けられている。このフィルター６５１は、第三開口５２２ｂを塞ぐように取り付けられており、気体透過性に優れ、液体は透過しない性質を持つ。
【０１１６】
また、ロックリング６３０は、図１５に示すように雄ルアー部材５２０および本体管５１０の外周を覆うように取り付けられている。このロックリング６３０は円筒形状を呈しており、内周にネジ部６３１が形成されている。また、ロックリング６３０の図示右側の端面は、図からわかるように径方向内方に延びており、スリット５２６から突出した突起部６２６の先端部分が係合可能とされる。なお、その他の構成は、前述の実施形態と同様の構成であるので、その具体的説明は省略する。
【０１１７】
このような構成において、プライミング時には、第一流路６１５および第二流路６２５内のエアーなどの気体は、第二開口６２３ａから第三開口５２２ｂを経て、フィルター６５１に面する。ここで、フィルター６５１は、気体透過性に優れるので、気体は、このフィルター６５１を透過して外部に放出される。このとき、フィルター６５１は液体を透過しないので、気体の放出ととともに液体が外部に漏れ出すことはない。
【０１１８】
図１６は、雄ルアーコネクター５００と雌ルアーコネクター１０との結合の際の作動状況を示す図であり、（ａ）は、両コネクターが結合されているが、雄ルアーコネクター５００側の第一流路６１５および第二流路６２５と、雌ルアーコネクター１０側の流路１５とが連通していない状態を、（ｂ）は、両コネクターが結合し、第一流路６１５および第二流路６２５と、流路１５が連通されている状態を、それぞれ示す図である。
【０１１９】
図１６（ａ）に示すように、雌ルアーコネクター１０と雄ルアーコネクター５００とを近接させて、雌側テーパー部１３のテーパー状内壁１３ａと雄側テーパー部５２２のテーパー状外壁５２２ａとを当接させる。そして、さらに雌ルアーコネクター１０を図において右方に移動させると、テーパー状内壁１３ａとテーパー状外壁５２２ａとの当接を維持した状態で、雄ルアー部材５２０が雌ルアーコネクター１０とともに右方に移動する。この雄ルアー部材５２０の移動によって、それまで雄ルアー部材５２０の第三開口５２２ｂに取り付けられたフィルター６５１で塞がれていた第二開口６２３ａが開放される。このため、第一流路６１５および第二流路６２５が、第二開口６２３ａを介して雌ルアーコネクター１０内の流路１５に連通する。したがって、本体管５１０内の第一流路６１５および第二流路６２５内の液体は、第二開口６２３ａから流出され、雌ルアーコネクター１０側に流れる。この状態が、図１６（ｂ）の状態である。
【０１２０】
ところで、上記第二実施形態で説明したように、プライミングを完了させた後に流路６１５，６２５内に気泡が残存することがある。この場合、プライミングによって既に液体が流路６１５，６２５内に充填されてしまっていると、いくら液圧を付与したとしても、これらの流路内に残存する気泡をフィルター６５１側に移動させることはできない。よって、このような残存気泡は、プライミングで除去することはできない。本実施形態において、万一このような残存気泡が存在する場合には、図１７に示すように、手動によりロックリング６３０を矢印Ａで示すように左方向に引く操作を行う。ロックリング６３０を図示左方向に移動させると、このロックリング６３０に係合した突起部６２６も左方向に移動する。突起部６２６は、本体管５１０の第二パーツ６２０に形成されているため、ロックリング６３０の左方移動により、第二パーツ６２０が左方移動する。
【０１２１】
このとき、本体管５１０は第一パーツ６１０と第二パーツ６２０とに分離して形成されているので、第一パーツ６１０は移動せずに、第二パーツ６２０のみが移動する。また、突起部６２６は雄ルアー部材５２０に形成されたスリット５２６内に入るように配設されているため、突起部６２６が左方に移動すると、このスリット５２６内を移動することになり、雄ルアー部材５２０と突起部６２６とが干渉することはない。したがって、上記ロックリング６３０の左方移動操作により、ロックリング６３０および本体管５１０の第二パーツ６２０が移動する。
【０１２２】
この第二パーツ６２０の移動によって、導管部６２３と雄ルアー部材５２０との対面位置が軸方向にずれて、それまで雄ルアー部材５２０の第三開口５２２ｂに取り付けられたフィルター６５１で塞がれていた第二開口６２３ａが開放される。このため、第一流路６１５および第二流路６２５が、第二開口６２３ａを介して外部に連通する。この状態で接続口部６１１側に接続された医療用チューブから液圧を付与すれば、本体管５１０の流路６１５，６２５内の液体が第二開口６２３ａから流出する。流路６１５，６２５内に残存する気泡は、この液体の流れによって流され、第二開口６２３ａから外部に放出される。このようにして、手動でロックリング６３０を操作することにより、残存気泡が外部に放出される。
【０１２３】
このような動作は、上記第二実施形態で説明した場合と同様の作用効果をもたらす。さらに、本実施形態では、第二実施形態のようにレバー部２２５などを設けず、ロックリング自身を動作させることで残存気泡を除去できる構成である。上記第二実施形態のようにレバー部２２５を設けた場合、残存気泡を除去するためには、ロックリング２３０を片手で持ち、レバー部２２５をもう片方の手で操作する両手操作となる。これに対し、本実施形態の雄ルアーコネクター５００は、例えばロックリング６３０を片手で握り、ロックリング６３０を握った方の指で第一パーツ６１０をロックリング６３０に対して離間させる方向に移動させるような動作を行うことによって、片手で行うことができる。このため、作業性が向上するという利点がある。
【０１２４】
以上のように、本実施形態においては、本体管５１０は、第一開口６１１ａを有する接続口部６１１を含む第一パーツ６１０と、第二開口６２３ａを有するとともに外周に雄ルアー部材５２０が装着された導管部６２３を含む第二パーツ６２０とを備え、これらの第一パーツ６１０と第二パーツ６２０とが分離して形成されている。そして、導管部６２３を含む第二パーツ６２０が、ロックリング６３０の操作によって、雄ルアー部材５２０に対して第二開口６２３ａを閉塞および開放するように移動可能に構成されている。したがって、残存気泡の放出のために流路６１５，６２５内の流体を外部に放出したいような場合、このロックリング６３０の操作により導管部６２３を移動させ、第二開口６２３ａを開放して、流路６１５，６２５内の液体を外部に放出させることができる。
【０１２５】
（第六実施形態）
次に、本発明の第六実施形態につき説明する。本実施形態は、本体管のレバー部を固定するとともに作業者が指で把持する部分である把持部材と、本体管と把持部材との間に配設されて、本体管の第二開口を覆うように取り付けられた伸縮用蛇腹部材を設け、伸縮用蛇腹部材を伸張状態から収縮状態とすることによって、雄ルアーコネクターと雌ルアーコネクターとの結合を解除したときの逆流の発生を防止することできる点に特徴を有する。以下に、本実施形態の特徴的な構成を中心に説明する。
【０１２６】
図１８は、本実施形態に係る雄ルアーコネクターの断面図である。図からわかるように、本実施形態の雄ルアーコネクター７００は、本体管７１０の後方（図示右方）に取り付けられた伸縮用蛇腹部材（伸縮部材）７５０を備える。この伸縮用蛇腹部材７５０は円筒形状を呈していて、その一端が本体管７１０の基端（図示右端）側に形成された突起部７１６の図示右側に当接して、本体管７１０の第一開口７１１ａを覆うように本体管７１０に取り付けられている。また、伸縮用蛇腹部材７５０の他端側は把持部７６０に接続されている。把持部７６０は、内部に直線状の流路７６０ａが形成された導管部７６１と、導管部７６１の一端側から径外方に延びた突部７６２とを備えている。伸縮用蛇腹部材７５０の他端側は突部７６２の端面に当接して、流路７６０ａの一端側開口７６０ｂを覆うように把持部７６０に取り付けられている。
【０１２７】
また、導管部７６１内の流路７６０ａの他端側の開口７６０ｃは、図示しない管体に接続されている。したがって、把持部７６０に接続された管体内の流路は、把持部７６０内の流路７６０ａ、伸縮用蛇腹部材７５０内の空間を介して本体管７１０内の流路７１５に連通されている。また、把持部７６０の突部７６２には雄ルアー部材７２０の基部７２３に接続されるレバー部７２５が固定されている。したがって、雄ルアー部材７２０が本体管７１０に対して軸方向に移動した場合、把持部７６０も雄ルアー部材７２０とともに移動するようにされている。
【０１２８】
図からわかるように、本体管７１０の突起部７１６の図示左側には付勢用蛇腹部材７４０が配設されている。この付勢用蛇腹部材７４０は、その一端が雄ルアー部材７２０の雄側テーパー部７２２の後端（図示右端）に形成されている段差部７２４に当接され、その他端側が本体管７１０の突起部７１６に当接されている。このため、本体管７１０の突起部７１６は、付勢用蛇腹部材７４０と伸縮用蛇腹部材７５０とにより両側から付勢されている状態とされて、両蛇腹部材７４０，７５０の付勢力の差によってどちらに付勢されるかが決まる状態となっている。本実施形態では、付勢用蛇腹部材７４０によって生じる弾性力の方が、伸縮用蛇腹部材７５０によって生じる弾性力よりも大きいものとされる。したがって、本体管７１０は付勢用蛇腹部材７４０の付勢力によって図示右側に付勢された状態とされる。それ以外の構成は、概ね上記第二実施形態で説明した雄ルアーコネクターの構成と同様である。
【０１２９】
上記構成において、雌ルアーコネクター１０を雄ルアーコネクター７００に結合するときには、ロックリング７３０の内周に形成されたネジ部７３１に雌ルアーコネクター１０の外周に形成された突起部１３ｂを噛み合わせた状態でロックリング７３０を回転する。すると、雌ルアーコネクター１０の突起部１３ｂがロックリング７３０に巻き上げられる。また、ロックリング７３０は本体管７１０の突起部７１６に係止されているので、ロックリング７３０が回転してもロックリング７３０と本体管７１０との位置関係は変化しない。したがって、ロックリング７３０の回転によって雌ルアーコネクター１０と本体管７１０との相対的位置が近づく。このとき、雄ルアー部材７２０は、その雄側テーパー部７２２が雌ルアーコネクター１０の雌側テーパー部１３に当接して、雌ルアーコネクター１０と一体に移動するようにされているので、上記ロックリング７３０の回転によって雄ルアー部材７２０が雌ルアーコネクター１０とともにロックリング７３０に巻き上げられて、本体管７１０に対して軸方向に沿って図示右方に移動する。これにより、図１９に示すように本体管７１０の第二開口７１３ａが開放される。このような雄ルアー部材７２０の移動に連動して、図１９に示すように付勢用蛇腹部材７４０が収縮するとともに伸縮用蛇腹部材７５０が伸張する。そして、この状態で液体が雄ルアーコネクター７００に接続された管体から雌ルアーコネクター１０に接続された管体に流通する。
【０１３０】
雌ルアーコネクター１０と雄ルアーコネクター７００との結合を解除するときには、ロックリング７３０を結合時とは逆方向に回転させる。すると、雌ルアーコネクター１０が本体管７１０から離れる方向に移動する。そして、雄側テーパー部７２２と雌側テーパー部１３とが離間し、両コネクター１０，７００の結合が解除される。このとき、付勢用蛇腹部材７４０の付勢力によって、雄ルアーコネクター７２０が本体管７１０の第二開口７１３ａを閉塞する方向に移動する。この移動に連動して付勢用蛇腹部材７４０が伸張するとともに、伸縮用蛇腹部材７５０が収縮する。この状態では、第二開口７１３ａは雄ルアー部材７２０によって閉塞されているので、第二開口７１３ａから液体が外部に漏れ出すことはない。
【０１３１】
ところで、雄ルアーコネクター７００と雌ルアーコネクター１０との結合を解除する場合、雌ルアーコネクター１０内から雄ルアー部材７２０が引き抜かれることによって、雌ルアーコネクター１０内の空間が陰圧になる。雌ルアーコネクター１０内の空間が陰圧になると、雌ルアーコネクター１０に連結した管体内の液体が逆流してしまう。この逆流は好ましくない。この点につき、本実施形態の雄ルアーコネクター７００においては、雌ルアーコネクター１０と雄ルアーコネクター７００との結合を解除するときに、伸縮用蛇腹部材７５０は、雄ルアー部材７２０が第二開口７１３ａを閉塞する方向へ移動するのに連動して伸張状態から収縮状態に変化するので、この変化に伴って伸縮用蛇腹部材７５０内の空間に充填されている液体が本体管７１０に押し出され、さらに第二開口７１３ａ側から吐出されて、雌ルアーコネクター１０内で順方向の流れを形成する。このような順方向の流れの形成によって、雌ルアーコネクター１０に接続された管体における逆流の発生を効果的に防止することができる。
【図面の簡単な説明】
【０１３２】
【図１】本発明の第一実施形態に係る雄ルアーコネクターの正面図である。
【図２】本発明の第一実施形態に係る雄ルアーコネクターの平面図である。
【図３】図２におけるＡ−Ａ断面図である。
【図４】本発明の第一実施形態に係る雄ルアーコネクターの先端部の拡大図である。
【図５】本発明の実施形態に係る雌ルアーコネクターを示す断面図である。
【図６】本発明の第一実施形態における、雄ルアーコネクターと雌ルアーコネクターとの結合の際の作動状況を示す図であり、（ａ）は、両コネクターの結合前の状態、（ｂ）は、両コネクターが結合されているが、流路が連通していない状態、（ｃ）は、両コネクターが結合し、流路も連通されている状態を、それぞれ示す図である。
【図７】本発明の第二実施形態に係る雄ルアーコネクターの断面図である。
【図８】本発明の第二実施形態に係る雄ルアーコネクターにおいて、レバー部を操作した状態を示す断面図である。
【図９】本発明の第二実施形態における、雄ルアーコネクターと雌ルアーコネクターとの結合の際の作動状況を示す図であり、（ａ）は、両コネクターの結合前の状態、（ｂ）は、両コネクターが結合されているが、流路が連通していない状態、（ｃ）は、両コネクターが結合し、流路も連通されている状態を、それぞれ示す図である。
【図１０】第二実施形態の変形例に係る雄ルアーコネクターの断面図である。
【図１１】本発明の第三実施形態に係る雄ルアーコネクターの断面図である。
【図１２】本発明の第三実施形態における、雄ルアーコネクターと雌ルアーコネクターとが結合して、流路が連通されている状態を示す図である。
【図１３】本発明の第四実施形態に係る雄ルアーコネクターの要部（先端部）の断面図である。
【図１４】本発明の第四実施形態における、雄ルアーコネクターと雌ルアーコネクターとの結合の際の作動状況を示す図であり、（ａ）は、両コネクターが結合されているが、流路が連通していない状態を、（ｂ）は、両コネクターが結合し、流路が連通されている状態を、それぞれ示す図である。
【図１５】本発明の第五実施形態に係る雄ルアーコネクターの断面図である。
【図１６】本発明の第五実施形態における、雄ルアーコネクターと雌ルアーコネクターとの結合の際の作動状況を示す図であり、（ａ）は、両コネクターが結合されているが、流路が連通していない状態を、（ｂ）は、両コネクターが結合し、流路が連通されている状態を、それぞれ示す図である。
【図１７】本発明の第五実施形態において、手動によってロックリングを操作させて第二開口部を開放させたときの図である。
【図１８】本発明の第六実施形態に係る雄ルアーコネクターの断面図である。
【図１９】本発明の第六実施形態に係る雄ルアーコネクターが雌ルアーコネクターと結合した状態を示す断面図である。
【符号の説明】
【０１３３】
１０…雌ルアーコネクター、１１…接続口部、１１ａ…開口、１２…連結部、１３…雌側テーパー部、１３ａ…テーパー状内壁、１３ｂ…突起部、１５…流路、
１００…雄ルアーコネクター、１１０…本体管、１１１…接続口部、１１１ａ…第一開口、１１２…連結部、１１３…導管部、１１３ａ…第二開口、１１３ｂ…エアー抜き用開口（気体抜き用開口）、１１３ｃ…逆テーパー状外壁、１１３ｄ…段差、１１４…段差部、１１５…流路、１２０…雄ルアー部材、１２１…先端部、１２１ａ…開口、１２１ｂ…逆テーパー状内壁、１２２…雄側テーパー部、１２２ａ…テーパー状外壁、１２３…基部、１２４…段差部、１３０…ロックリング、１３１…ネジ部、１４０…蛇腹部材（付勢手段）、１５１…フィルター、
２００，２０１…雄ルアーコネクター、２１０…本体管、２１１…接続口部、２１１ａ…第一開口、２１２…連結部、２１３…導管部、２１３ａ…第二開口、２１３ｂ…エアー抜き用開口（気体抜き用開口）、２１３ｃ…逆テーパー状外壁、２１３ｄ…段差、２１５…流路、２１６…突起部、２２０…雄ルアー部材、２２２…雄側テーパー部、２２２ａ…テーパー状外壁、２２２ｂ…逆テーパー状内壁、２２３…基部、２２４…段差部、２２５…レバー部、２２６…スリット、２３０…ロックリング、２３１…ネジ部、２４０…蛇腹部材（付勢手段）、２５１…フィルター、
３００…雄ルアーコネクター、３１０…本体管、３１３…導管部、３１３ａ…第二開口、３１３ｂ…エアー抜き用開口（気体抜き用開口）、３１５…流路、３１６…突起部、３２０…雄ルアー部材、３２２…雄側テーパー部、３２２ａ…テーパー状外壁、３２３…基部、３５１…フィルター、３６１…第一蛇腹部材、３６２…第二蛇腹部材、
４００…雄ルアーコネクター、４１０…本体管、４１３…導管部、４１３ａ…第二開口、４１３ｃ…環状溝、４１５…流路、４２０…雄ルアー部材、４２２ａ…テーパー状外壁、４３０…ロックリング、４３１…ネジ部、
５００…雄ルアーコネクター、５１０…本体管、５２０…雄ルアー部材、５２２…雄側テーパー部、５２２ａ…テーパー状外壁、５２２ｂ…第三開口、５２３…基部、５２４…段差部、５２６…スリット、６１０…第一パーツ、６１１…接続口部、６１１ａ…第一開口、６１２…外挿部、６１５…第一流路、６２０…第二パーツ、６２２…内挿部、６２３…導管部、６２３ａ…第二開口、６２５…第二流路、６２６…突起部、６３０…ロックリング、６３１…ネジ部、６５１…フィルター、６６０…Ｏリング
７００…雄ルアーコネクター、７１０…本体管、７１１ａ…第一開口、７１３ａ…第二開口、７１５…流路、７１６…突起部、７２０…雄ルアー部材、７２２…雄側テーパー部、７２３…基部、７２４…段差部、７２５…レバー部、７２６…スリット、７３０…ロックリング、７３１…ネジ部、７４０…付勢用蛇腹部材（付勢手段）、７５０…伸縮用蛇腹部材（伸縮部材）、７６０…把持部、７６０ａ…流路、７６０ｂ…一端側開口、７６０ｃ…開口、７６１…導管部、７６２…突部
【図１】
2007195933.tif 000003
【図２】
2007195933.tif 000004
【図３】
2007195933.tif 000005
【図４】
2007195933.tif 000006
【図５】
2007195933.tif 000007
【図６】
2007195933.tif 000008
【図７】
2007195933.tif 000009
【図８】
2007195933.tif 000010
【図９】
2007195933.tif 000011
【図１０】
2007195933.tif 000012
【図１１】
2007195933.tif 000013
【図１２】
2007195933.tif 000014
【図１３】
2007195933.tif 000015
【図１４】
2007195933.tif 000016
【図１５】
2007195933.tif 000017
【図１６】
2007195933.tif 000018
【図１７】
2007195933.tif 000019
【図１８】
2007195933.tif 000020
【図１９】
2007195933.tif 000021